(57)【特許請求の範囲】
【請求項１】
建物外壁の避難口に臨んで設けた固定収納枠体内に、建物外壁から外方に張出すると共に固定収納枠体に収納口側に位置して起立状態で折り畳み収納可能に渡り枠を設け、該渡り枠の先端部に外方に張出する入口枠を折り畳み可能且つ張出回転可能に連結し、該入口枠の先端部に救助袋の吊下枠を折り畳み可能且つ張出回転可能に連結してなり、張出状態から吊下枠を入口枠上に折り畳んでから、入口枠を吊下枠を伴って渡り枠上に位置するように折り畳み、次いで渡り枠を起立状態で固定収納枠体内に折り畳み、折り畳み状態で渡り枠が収納口側に起立し順次に連結した入口枠と吊下枠と共に固定収納枠体内にほぼ三角形を形成し、入口枠の上方から前記垂下すべき救助袋を固定収納枠体内に投下可能に収納してなる垂直式救助袋装置。
【請求項２】
請求項１に記載の垂直式救助袋装置において、固定収納枠体内に渡り枠に対して入口枠を水平以下の角度で収納してなる垂直式救助袋装置。
【請求項３】
請求項１又は２に記載の垂直式救助袋装置において、固定収納枠体内に吊下枠の先端を底枠部上に位置して収納してなる垂直式救助袋装置。
【請求項４】
請求項２又は３に記載の垂直式救助袋装置において、渡り枠の外方への張出幅を建物外壁形状に合わせて調整可能に設けてなる垂直式救助袋装置。
【請求項５】
請求項２、３又は４に記載の垂直式救助袋装置において、渡り枠を固定収納枠体の底枠部上に起立状態で折り畳み収納可能に設けてなる垂直式救助袋装置。
【請求項６】
請求項１乃至５のいずれかに記載の垂直式救助袋装置において、吊下枠に対して入口枠を大きく設けてなる垂直式救助袋装置。
【請求項７】
請求項１乃至６のいずれかに記載の垂直式救助袋装置において、吊下枠を救助袋の断面形状に対して小さく設けてなる垂直式救助袋装置。
【請求項８】
請求項１乃至７のいずれかに記載の垂直式救助袋装置において、吊下枠に救助袋の中央支持索の取付枠部を設けてなる垂直式救助袋装置。
【請求項９】
請求項１乃至８のいずれかに記載の垂直式救助袋装置において、吊下枠に入口枠に対して折り畳んだ状態で入口枠の先端部から突出して救助袋の投下時に吊下枠の張出回転を補助する張出回転補助突起を設けてなる垂直式救助袋装置。
【請求項１０】
請求項１乃至９のいずれかに記載の垂直式救助袋装置において、固定収納枠体内に入口枠又は吊下枠が当接して入口枠の折り畳み角度を規制する折り畳み角度規制部材を設けてなる垂直式救助袋装置。
【請求項１１】
請求項１０に記載の垂直式救助袋装置において、折り畳み角度規制部材を高さ調整可能に設けてなる垂直式救助袋装置。
【請求項１２】
請求項１０又は１１に記載の垂直式救助袋装置において、折り畳み角度規制部材を避退可能に設けてなる垂直式救助袋装置。
【発明の詳細な説明】
【０００１】
【発明の属する技術分野】
本発明は、緊急避難時に建物の退避開口部に相当する位置から張り出させた袋吊下枠から柔軟な救助袋を建物外壁面に沿って垂下し、救助袋の上端開口部から乗り込んで退避するようになした退避装置の垂直式救助袋を折り畳んで収納し、非常時に救助袋を投下すると一動作で垂下し得るようになした垂直式救助袋装置に関する。
【０００２】
【従来の技術】
従来、緊急避難時に、建物の屋上の退避部に相当する位置から柔軟な救助袋を渡り枠を介して吊下枠から垂下し、吊下枠に設けた救助袋の乗り込み口から避難するようになした垂直式救助袋避難装置は知られている（特許文献１参照）。
また、建物屋上に吊下枠から垂下した二重円筒型の大型の救助袋に吊下枠の手前側に設けた乗り込み路から避難するようになした垂直式救助袋避難装置は知られている（特許文献２参照）。
【特許文献１】
特開昭５３−８４３９８号
【特許文献２】
特開昭６０−２３６６６号
【０００３】
【発明が解決しようとする課題】
然るに、特許文献１の従来装置においては、救助袋の収納枠体が建物外壁の投下口より下方に設けてあるため、建物外壁を乗り越えて救助袋を、例えば、約２７０度回転させて投下しなければならないから、投下するまでに相当の労力と時間を要し、また、特許文献２の従来装置では、救助袋が二重円筒型の大型の救助袋であることから、いずれの場合も、緊急時に救助袋を吊下枠と一体に短時間に正確に投下して垂下することは相当に難しく、動力で投下するには操作方法を知らない場合や停電した場合に課題があった。
【０００４】
【課題を解決するための手段】
そこで、本発明は、特許請求の範囲の請求項１に記載のように、建物外壁の避難口に臨んで設けた固定収納枠体内に、建物外壁から外方に張出すると共に固定収納枠体に収納口側に位置して起立状態で折り畳み収納可能に渡り枠を設け、該渡り枠の先端部に外方に張出する入口枠を折り畳み可能且つ張出回転可能に連結し、該入口枠の先端部に救助袋の吊下枠を折り畳み可能且つ張出回転可能に連結してなり、張出状態から吊下枠を入口枠上に折り畳んでから、入口枠を吊下枠を伴って渡り枠上に位置するように折り畳み、次いで渡り枠を起立状態で固定収納枠体内に折り畳み、折り畳み状態で渡り枠が収納口側に起立し順次に連結した入口枠と吊下枠と共に固定収納枠体内にほぼ三角形を形成し、入口枠の上方から前記垂下すべき救助袋を固定収納枠体内に投下可能に収納してなる垂直式救助袋装置を提供するものである。
【０００５】
本発明によれば、建物外壁の避難口に臨んで設けた固定収納枠体内に、上から救助袋、入口枠、吊下枠の順に収納してあるから、救助袋を先ず投下すると、その勢いと重量で、先ず、起立していた渡り枠が張出回転し、これに伴って入口枠が張出回転して建物外方に張出し、次いで、入口枠から吊下枠が張出回転し、枠全体が約１８０度回転し、一動作で迅速、円滑、簡単に救助袋を垂下することができると共に、垂下した救助袋にはその吊下枠の手前の入口枠から救助袋内に速やかに安全に避難することができる。
【０００６】
また、本発明は、請求項２に記載のように、請求項１に記載の垂直式救助袋装置において、固定収納枠体内に渡り枠に対して入口枠を水平以下の角度で収納してなる垂直式救助袋装置を提供するものである。
【０００７】
また、本発明は、請求項３に記載のように、請求項１又は２に記載の垂直式救助袋装置において、固定収納枠体内に吊下枠の先端を底枠部上に位置して収納してなる垂直式救助袋装置を提供するものである。
【０００８】
また、本発明は、請求項４に記載のように、請求項２又は３に記載の垂直式救助袋装置において、渡り枠の外方への張出幅を建物外壁形状に合わせて調整可能に設けてなる垂直式救助袋装置を提供するものである。
本発明によれば、建物外壁の形状や構造に対応して渡り枠の外方への張出幅を調整することができる。
【０００９】
また、本発明は、請求項５に記載のように、請求項２、３又は４に記載の垂直式救助袋装置において、渡り枠を固定収納枠体の底枠部上に起立状態で折り畳み収納可能に設けてなる垂直式救助袋装置を提供するものである。
本発明によれば、渡り枠を固定収納枠体の外方位置に起立して設けることによって入口枠の折り畳みや張出回転操作を円滑、容易にすることができる。
【００１０】
また、本発明は、請求項６に記載のように、請求項１乃至５のいずれかに記載の垂直式救助袋装置において、入口枠に対して吊下枠を小さく設けてなる垂直式救助袋装置を提供するものである。
本発明によれば、吊下枠は救助袋を吊り下げるだけで避難口とはならないから、避難口となる入口枠より小さく設けることができると共に、吊下枠を小さく折り畳むことができ、且つ、迅速、容易、軽快に張出することができる。
【００１１】
また、本発明は、請求項７に記載のように、請求項１乃至６のいずれかに記載の垂直式救助袋装置において、吊下枠を救助袋の断面形状に対して小さく設けてなる垂直式救助袋装置を提供するものである。
本発明によれば、吊下枠は救助袋を吊り下げるだけで避難口とはならないから、小さく設けることができると共に、吊下枠を小さく折り畳むことができ、且つ、迅速、容易、軽快に張出することができる。
【００１２】
また、本発明は、請求項８に記載のように、請求項１乃至７のいずれかに記載の垂直式救助袋装置において、吊下枠に救助袋の中央支持索の取付枠部を設けてなる垂直式救助袋装置を提供するものである。
本発明によれば、吊下枠の取付枠部によって救助袋の中央支持索を救助袋の中央で支持することができる。
【００１３】
また、本発明は、請求項９に記載のように、請求項１乃至８のいずれかに記載の垂直式救助袋装置において、吊下枠に入口枠に対して折り畳んだ状態で入口枠の先端部から突出して救助袋の投下時に吊下枠の張出回転を補助する張出回転補助突起を設けてなる垂直式救助袋装置を提供するものである。
本発明によれば、投下した入口枠の先端部からぶら下がる救助袋によって張出回転補助突起が回転力を受けて吊下枠を入口枠から容易に張出することができる。
【００１４】
また、本発明は、請求項１０に記載のように、請求項１乃至９のいずれかに記載の垂直式救助袋装置において、固定収納枠体内に入口枠又は吊下枠が当接して入口枠の折り畳み角度を規制する折り畳み角度規制部材を設けてなる垂直式救助袋装置を提供するものである。
本発明によれば、折り畳み角度規制部材により入口枠の折り畳み角度を規制して、救助袋の投下に伴う入口枠の張出回転の迅速性、円滑性を規制することができる。
【００１５】
また、本発明は、請求項１１に記載のように、請求項１０に記載の垂直式救助袋装置において、折り畳み角度規制部材を高さ調整可能に設けてなる垂直式救助袋装置を提供するものである。
本発明によれば、本装置の設置の状況に合わせて救助袋の投下に伴う入口枠の張出回転の迅速性、円滑性を調整することができる。
【００１６】
また、本発明は、請求項１２に記載のように、請求項１０又は１１に記載の垂直式救助袋装置において、折り畳み角度規制部材を避退可能に設けてなる垂直式救助袋装置を提供するものである。
本発明によれば、折り畳み角度規制部材を避退可能にすることによって、避難者の邪魔にならないようにすることができる。
【００１７】
【発明の実施の形態】
以下図示する実施例に基づき本発明の実施の形態を説明する。
図１又は図２に記載の実施例の場合、救助袋１の筒状外装体４の上端部は、実施例の場合、建物３０の避難口３１に臨んで固定された固定収納枠体３０から突出した四角形状の吊下枠１０の４隅部に外周支持索５の上端部を一体に固定することによって、垂下されている。吊下枠１０は救助袋１の断面より小さく構成してあり、筒状外装体４の上端部は絞り込んだ形状で吊下枠１０に垂下されている。
また、中央支持索３の上端部は吊下枠１０に交差して設けた取付枠部１１のほぼ中央に固定され、吊下枠１０の中心で中央支持索３を支持することができるように構成してある。なお、取付枠部１１は吊下枠１０を補強する部材でもある。
【００１８】
本発明に係る救助袋１は、図９及び図１０に記載のように、帯状をなす布地２の一側縁２ａを強靱なロープ、ワイヤロープ、紐、ベルト等からなる中央支持索３に取り付け、他側縁２ｂを強靱且つ柔軟な筒状外装体４の内側に適宜な傾斜を持たせて縫い付け、更に、筒状外装体４の内側又は外側に強靱なロープ、ワイヤロープ、紐等からなる外周支持索５を取り付け、外周支持索５の上端部をそれぞれ建物上部の取り付け構造体である吊下枠１０に固定して筒状外装体４を建物外側に沿って垂下すると、筒状外装体４内に布地２の螺旋状の滑走路が形成され、建物３０の途中階の退避口３１に相対する位置の筒状外装体４の乗り込み口等から乗り込んだ降下者Ａが滑走路に沿って安全に降下することができるように構成してある。
【００１９】
この場合、筒状外装体４の半径を大幅に超える幅を有する布地２により幅の広い滑走路を形成することにより、柔軟且つ強靱な中央支持索３が筒状外装体４内で自在に移動することができ、これによって、袋内に入った避難者Ａに対応して袋半径に対して大幅な滑走路が確保されて、袋半径に比して大きな滑走路を有する救助袋１を構成することができる。
【００２０】
従って、理論的には救助袋１は内部に避難者の通過できる直径の幅があれば十分であるから、その幅を超える弛みを持つ幅の広い布地２により形成した滑走路により安全に避難でき、結果として、直径の小さい小型の避難袋を提供することができ、本発明に係る垂直式救助袋装置も小型に構成することができる。
また、中央支持索３は救助袋１内で直径方向に自在に移動するように緩やかに設けることが好ましい。
【００２１】
図示の実施例において、吊下枠１０は、建物３０の避難口３１に臨んで設けた固定収納枠体２０に、建物外壁３２から外方に張り出して救助袋１を垂下する手前側の入口枠１２の先端部に、入口枠１２に対して折り畳み可能且つ張出回転可能に連結して設けてあり、図６に記載のように、吊下枠１０を入口枠１２に折り畳んでから、図５、図４、図３の順番に入口枠１２を吊下枠１１が裏側に位置するように固定収納枠体２０内に折り畳んで収容することができるように構成してある。
【００２２】
実施例の場合、入口枠１２には救助袋１の上端部側面に開口７を有する避難路袋体６が一体に取り付けてあり、避難者は入口枠１２により形成された入口１２ａから避難路袋体６を通って開口７から救助袋１内に入ることができるように構成してある。
入口枠１２は吊下枠１０より大きく構成してあり、避難者が入り易くしてあると共に、吊下枠１０から垂下した救助袋１も徐々に内径を大きくして避難路袋体６の底部が開口７との連結する部分では、それ以下の避難路部分と同様に十分な幅になるように構成してある。
【００２３】
また、入口枠１２と吊下枠１０とは断面８の字型の連結金具８により連結してあり、一方の枠体である吊下枠１０の底面に設けた水平規制ストッパ９が他方の枠体である入口枠１２の底面に当接することによって相互にほぼ水平を保って展開するように構成してある。
また、吊下枠１０には、図６に記載のように、入口枠１２に対して折り畳んだ状態で入口枠１２の先端部から突出して救助袋１の投下時に吊下枠１０の張出回転を補助する張出回転補助突起１３を設けてある。
【００２４】
また、本発明実施例の場合、入口枠１２は、固定収納枠体２０に対して渡り枠１４を介して設けてあり、渡り枠１４によって建物外壁３２の厚みや出っ張り等の外壁構造に対応した幅の避難路を確保し、入口枠１２と吊下枠１０の張出位置を決め、建物外壁３２に対する救助袋１の間隔を適宜に設定することができるように構成してある。
【００２５】
渡り枠１４の基端部には、固定収納枠体２０の底枠部２１に軸受部材２２により回転自在に軸受された回転基軸１５が一体に設けてあり、図３に記載のように、起立状態に折り畳み回転可能に設けてある。渡り枠１４内には補強板１６により補強された踏みパイプ１７が設けてある。
【００２６】
渡り枠１４と入口枠１２とは、入口枠１２と吊下枠１０の場合と同様に、断面８の字型の連結金具１８により連結してあり、一方の枠体である入口枠１２に設けた水平規制ストッパ１９が他方の枠体である渡り枠１４に当接することによって相互に水平を保って展開するように構成してある。
【００２７】
また、吊下枠１０の先端角部には、索連結枠部２３が設けてあり、救助袋１の外周支持索５の上端部を連結してあると共に、固定収納枠体２０の側部前枠２４の上部固定枠部２５との間に吊り索２６を連結してあり、展開状態において吊下枠１０がほぼ水平を維持して張出するように構成してある。
また、吊下枠１０の後端角部に設けた救助袋１の外周支持索５の上端部を連結してある索連結枠部２７と、入口枠１２の先端角部の索連結枠部２８には、上部固定枠部２９との間に吊り索３３を連結して、入口枠１２がほぼ水平に張出し得るように構成してある。
【００２８】
また、入口枠１２の後枠部には補強枠３４と索連結枠部３５が設けてあり、避難路袋体６の開口部を取付け固定してあり、索連結枠部３５には吊り索を取り付けて上部固定枠部２５又は２９に連結して渡り枠１４のほぼ水平な張出状態を維持するようにすることも可能である。なお、実施例の場合、渡り枠１４は固定収納枠体２０の前底部枠３６に底面を支持されて張出状態でほぼ水平を維持するように構成してある。
また、本発明に係る垂直式救助袋装置においては、固定収納枠体２０の側部後枠３７に、入口枠１２又は吊下枠１０が当接して入口枠１２の折り畳み角度を規制する折り畳み角度規制部材４０を設けてある。
【００２９】
折り畳み角度規制部材４０は、図８に記載の実施例の場合、固定収納枠体２０内に突出するストッパ３８を具備し、図３に記載の折り畳み状態で、救助袋１を折り畳んで載置するときの入口枠１２の傾きを規制して、救助袋１の安定した載置状態の確保と共に、投下時に、救助袋１の最終落下状態において、救助袋１に引っ張られて図４に記載のように、入口枠１２が円滑に回転して、図５、図６、図７に記載の順番で全体が一動作で張出し得るように構成してある。
【００３０】
図８の実施例の場合、ストッパ３８の垂直部３９が蝶番式の軸部として蝶番部４１に回転自在に固定してあり、蝶番部４１は側部後枠３７に垂直方向に設けたスライド溝４２に沿って上下位置決め自在に設けてあり、スライド溝４２内に回転することなくスライド自在に設けた固定用ナットを固定ボルト４３により締め付けて、任意の位置に固定することができるように構成してある。
【００３１】
上記の本発明実施例の構成において、図３に記載の固定収納枠体２０内に、折り畳み角度規制部材４０のストッパ３８によって、入口枠１２のほぼ水平若しくはやや左下がりな姿勢が規制された状態で、その上に救助袋１を折り畳んで載置しておき、投下時には、救助袋１としては地上に近い位置に落下する最上部の折り畳み部分から投下すると、投下された救助袋１の重さと速度により、その最終段階で図４に記載のように吊下枠１０と入口枠１２が引っ張られて渡り枠１４を伴って回転し、図５の渡り枠１４がほぼ水平方向に入口枠１２と吊下枠１０が垂直方向に約９０度回転して張出した状態になり、次いで、図６のように、入口枠１２が更にほぼ９０度水平方向に回転して張出し、次いで図７の吊下枠１０がほぼ１８０度水平方向に回転して張出した状態になり、固定収納枠体２０側から見ると、建物３０の避難口３１に、渡り枠１４の先に避難路袋体６を有する入口枠１２が開口して、救助袋１に乗り込める図１の状態になる。
【００３２】
この状態で、折り畳み角度規制部材４０のストッパ３８を回転させて、固定収納枠体２０の内側に突出しないように避退することにより、避難者の避難の邪魔にならないようにすることができる。
【００３３】
【発明の効果】
以上の通り、本発明に係る垂直式救助袋装置によれば、建物外壁の避難口に臨んで設けた固定収納枠体内に、建物外壁から外方に張出すると共に固定収納枠体に収納口側に位置して起立状態で折り畳み収納可能に渡り枠を設け、該渡り枠の先端部に外方に張出する入口枠を折り畳み可能且つ張出回転可能に連結し、該入口枠の先端部に救助袋の吊下枠を折り畳み可能且つ張出回転可能に連結してなり、張出状態から吊下枠を入口枠上に折り畳んでから、入口枠を吊下枠を伴って渡り枠上に位置するように折り畳み、次いで渡り枠を起立状態で固定収納枠体内に折り畳み、折り畳み状態で渡り枠が収納口側に起立し順次に連結した入口枠と吊下枠と共に固定収納枠体内にほぼ三角形を形成し、入口枠の上方から前記垂下すべき救助袋を固定収納枠体内に投下可能に収納してなる構成を有することにより、建物外壁の避難口に臨んで設けた固定収納枠体内に、上から救助袋、入口枠、吊下枠の順に収納してあるから、救助袋を先ず投下すると、その勢いと重量で、起立していた渡り枠が先ず張出回転し、これに伴って入口枠が張出回転して建物外方に張出し、次いで、入口枠から吊下枠が張出回転し、枠全体が約１８０度回転し、一動作で迅速、円滑、簡単に救助袋を垂下することができると共に、垂下した救助袋にはその吊下枠の手前の入口枠から救助袋内に速やかに安全に避難することができる効果がある。
【００３４】
また、本発明は、請求項２に記載のように、請求項１に記載の垂直式救助袋装置において、固定収納枠体内に渡り枠に対して入口枠を水平以下の角度で収納してなる垂直式救助袋装置を提供する効果がある。
【００３５】
また、本発明は、請求項３に記載のように、請求項１又は２に記載の垂直式救助袋装置において、固定収納枠体内に吊下枠の先端を底枠部上に位置して収納してなる垂直式救助袋装置を提供する効果がある。
【００３６】
また、本発明は、請求項４に記載のように、請求項２又は３に記載の垂直式救助袋装置において、渡り枠の外方への張出幅を建物外壁形状に合わせて調整可能に設けてなる構成を有することにより、建物外壁の形状や構造に対応して渡り枠の外方への張出幅を調整することができる効果がある。
【００３７】
また、本発明は、請求項５に記載のように、請求項２、３又は４に記載の垂直式救助袋装置において、渡り枠を固定収納枠体の底枠部上に起立状態で折り畳み収納可能に設けてなる構成を有することにより、渡り枠を固定収納枠体の外方位置に起立して設けることによって入口枠の折り畳みや張出回転操作を円滑、容易にすることができる効果がある。
【００３８】
また、本発明は、請求項６に記載のように、請求項１乃至５のいずれかに記載の垂直式救助袋装置において、入口枠に対して吊下枠を小さく設けてなる構成を有することにより、吊下枠は救助袋を吊り下げるだけで避難口とはならないから、避難口となる入口枠より小さく設けることができると共に、吊下枠を小さく折り畳むことができ、且つ、迅速、容易、軽快に張出することができる。
【００３９】
また、本発明は、請求項７に記載のように、請求項１乃至６のいずれかに記載の垂直式救助袋装置において、吊下枠を救助袋の断面形状に対して小さく設けてなる構成を有することにより、吊下枠は救助袋を吊り下げるだけで避難口とはならないから、小さく設けることができると共に、吊下枠を小さく折り畳むことができ、且つ、迅速、容易、軽快に張出することができる効果がある。
【００４０】
また、本発明は、請求項８に記載のように、請求項１乃至７のいずれかに記載の垂直式救助袋装置において、吊下枠に救助袋の中央支持索の取付枠部を設けてなる構成を有することにより、吊下枠の取付枠部によって救助袋の中央支持索を救助袋の中央で支持することができる効果がある。
【００４１】
また、本発明は、請求項９に記載のように、請求項１乃至８のいずれかに記載の垂直式救助袋装置において、吊下枠に入口枠に対して折り畳んだ状態で入口枠の先端部から突出して救助袋の投下時に吊下枠の張出回転を補助する張出回転補助突起を設けてなる構成を有することにより、投下した入口枠の先端部からぶら下がる救助袋によって張出回転補助突起が回転力を受けて吊下枠を入口枠から容易に張出することができる効果がある。
【００４２】
また、本発明は、請求項１０に記載のように、請求項１乃至９のいずれかに記載の垂直式救助袋装置において、固定収納枠体内に入口枠又は吊下枠が当接して入口枠の折り畳み角度を規制する折り畳み角度規制部材を設けてなる構成を有することにより、折り畳み角度規制部材により入口枠の折り畳み角度を規制して、救助袋の投下に伴う入口枠の張出回転の迅速性、円滑性を規制することができる効果がある。
【００４３】
また、本発明は、請求項１１に記載のように、請求項１０に記載の垂直式救助袋装置において、折り畳み角度規制部材を高さ調整可能に設けてなる構成を有することにより、本装置の設置の状況に合わせて救助袋の投下に伴う入口枠の張出回転の迅速性、円滑性を調整することができる効果がある。
【００４４】
また、本発明は、請求項１２に記載のように、請求項１０又は１１に記載の垂直式救助袋装置において、折り畳み角度規制部材を避退可能に設けてなる構成を有することにより、折り畳み角度規制部材を避退可能にすることによって、避難者の邪魔にならないようにすることができる効果がある。
【図面の簡単な説明】
【図１】  本発明装置の一実施例の要部の概略斜視図。
【図２】  その要部の使用態様を示す概略側面図。
【図３】  その要部の作動態様を示す概略説明図。
【図４】  その要部の作動態様を示す概略説明図。
【図５】  その要部の作動態様を示す概略説明図。
【図６】  その要部の作動態様を示す概略説明図。
【図７】  その要部の作動態様を示す概略説明図。
【図８】  その要部の拡大説明図。
【図９】  その要部の分解斜視図。
【図１０】  その要部の使用態様説明図。
【符号の説明】
１      救助袋
２      布地
３      中央支持索
４      筒状外装体
５      外周支持索
６      避難路袋体
７      開口
８      連結金具
９      水平規制ストッパ
１０    吊下枠
１２    入口枠
１２ａ    入口
１３    張出回転補助突起
１４    渡り枠
１５    回転基軸
１６    補強板
１７    踏みパイプ
１８    連結金具
１９    水平規制ストッパ
２０    固定収納枠体
２１    底枠部
２２    軸受部材
２３    索連結枠部
２４    側部前枠
２５    上部固定枠部
２６    吊り索
２７    索連結枠部
２８    索連結枠部
２９    上部固定枠部
３０    建物
３１    避難口
３２    建物外壁
３３    吊り索
３４    補強枠
３５    索連結枠部
３６    前底部枠
３７    側部後枠
３８    ストッパ
３９    垂直部
４０    折り畳み角度規制部材
４１    蝶番部
４２    スライド溝
４３    固定ボルト
【図１】
0003654893.tif 000002
【図２】
0003654893.tif 000003
【図３】
0003654893.tif 000004
【図４】
0003654893.tif 000005
【図５】
0003654893.tif 000006
【図６】
0003654893.tif 000007
【図７】
0003654893.tif 000008
【図８】
0003654893.tif 000009
【図９】
0003654893.tif 000010
【図１０】
0003654893.tif 000011